(57)【特許請求の範囲】
【請求項１】
ワイヤレス通信のための方法であって、
第１の周波数において送信する第１の基地局（ＢＳ）によって、第２の周波数において１つまたは複数の信号を送信する際に使用するためのセル識別情報（ＩＤ）を選択することであり、前記第２の周波数において前記第１のＢＳから送信される共通基準信号（ＣＲＳ）が前記第２の周波数において第２のＢＳから送信されるＣＲＳと衝突するように、前記セルＩＤが選択されることと、
前記第１のＢＳによって、前記セルＩＤを使用して、前記第２の周波数において前記１つまたは複数の信号を送信することと
を備える方法。
【請求項２】
前記１つまたは複数の信号に基づいて、前記第２のＢＳに関連付けられたユーザ機器（ＵＥ）の前記第１のＢＳへのハンドオーバに対する要求を引き起こすこと
をさらに備える請求項１に記載の方法。
【請求項３】
前記第２の周波数および前記セルＩＤを使用して、前記第１のＢＳによって前記ＵＥと通信すること
をさらに備える請求項２に記載の方法。
【請求項４】
前記第２の周波数および前記セルＩＤを使用して、前記第１のＢＳによって前記ＵＥと通信することが、干渉除去アルゴリズムを使用してキャンセルされ得る、前記第２の周波数を使用する別のＵＥに対する干渉を引き起こすことを含む、請求項３に記載の方法。
【請求項５】
前記第２のＢＳが、測定された基準信号、１次同期信号（ＰＳＳ）、または２次同期信号（ＳＳＳ）のうちの１つまたは複数によって示されるように、前記第２の周波数において動作する最も強い隣接するＢＳである、請求項１に記載の方法。
【請求項６】
前記１つまたは複数の信号の送信を、前記第２のＢＳからの送信と、時間的に同期させること
をさらに備える請求項５に記載の方法。
【請求項７】
前記１つまたは複数の信号の送信を、前記第２のＢＳからの送信と、周波数的に同期させること
をさらに備える請求項５に記載の方法。
【請求項８】
前記１つまたは複数の信号の送信が、周期的、非周期的、またはイベントによるトリガのうちの少なくとも１つである、請求項１に記載の方法。
【請求項９】
前記イベントが前記第１のＢＳの近傍におけるＵＥの検出を備える、請求項８に記載の方法。
【請求項１０】
前記１つまたは複数の信号が、送信エネルギーを低減するような方法で送信される、請求項１に記載の方法。
【請求項１１】
前記１つまたは複数の信号を送信するために、マルチメディアブロードキャストオーバー単一周波数ネットワーク（ＭＢＳＦＮ）サブフレームを利用すること
をさらに備える請求項１０に記載の方法。
【請求項１２】
前記第１のＢＳの前記セルＩＤを選択することが、
１つまたは複数の隣接するＢＳによって現在使用されている１つまたは複数のセルＩＤを識別することと、
前記セルＩＤが前記１つまたは複数の識別されたセルＩＤとは異なるように、前記第１のＢＳの前記セルＩＤを選択することと
を備える、請求項１に記載の方法。
【請求項１３】
前記１つまたは複数のセルＩＤが、ネットワークリッスンまたはバックホールネットワーク通信のうちの少なくとも１つによって識別される、請求項１２に記載の方法。
【請求項１４】
前記１つまたは複数の信号が、１次同期信号（ＰＳＳ）、２次同期信号（ＳＳＳ）、物理ブロードキャストチャネル（ＰＢＣＨ）、ＣＲＳ、またはシステム情報ブロック（ＳＩＢ）のうちの１つまたは複数を備える、請求項１に記載の方法。
【請求項１５】
前記第２のＢＳに関する情報を受信または取得することであり、前記情報が、物理セルＩＤ情報、タイミング情報、またはキャリア周波数情報のうちの１つまたは複数を備えること
をさらに備える、請求項１に記載の方法。
【請求項１６】
ワイヤレス通信のための装置であって、
第１の周波数において送信する第１の基地局（ＢＳ）によって、第２の周波数において１つまたは複数の信号を送信する際に使用するためのセル識別情報（ＩＤ）を選択するための手段であり、前記第２の周波数において前記第１のＢＳから送信される共通基準信号（ＣＲＳ）が前記第２の周波数において第２のＢＳから送信されるＣＲＳと衝突するように、前記セルＩＤが選択される、手段と、
前記第１のＢＳによって、前記セルＩＤを使用して、前記第２の周波数において前記１つまたは複数の信号を送信するための手段と
を備える装置。
【請求項１７】
前記１つまたは複数の信号に基づいて、前記第２のＢＳに関連付けられたユーザ機器（ＵＥ）の前記第１のＢＳへのハンドオーバに対する要求を引き起こすための手段と
をさらに備える請求項１６に記載の装置。
【請求項１８】
前記第２の周波数および前記セルＩＤを使用して、前記第１のＢＳによって前記ＵＥと通信するための手段
をさらに備える請求項１７に記載の装置。
【請求項１９】
前記第２の周波数および前記セルＩＤを使用して、前記第１のＢＳによって前記ＵＥと通信するための前記手段が、干渉除去アルゴリズムを使用してキャンセルされ得る、前記第２の周波数を使用する別のＵＥに対する干渉を引き起こすように構成される、請求項１８に記載の装置。
【請求項２０】
前記第２のＢＳが、測定された基準信号、１次同期信号（ＰＳＳ）、または２次同期信号（ＳＳＳ）のうちの１つまたは複数によって示されるように、前記第２の周波数において動作する最も強い隣接するＢＳである、請求項１６に記載の装置。
【請求項２１】
前記１つまたは複数の信号の送信を、前記第２のＢＳからの送信と、時間的に同期させるための手段
をさらに備える請求項２０に記載の装置。
【請求項２２】
前記１つまたは複数の信号の送信を、前記第２のＢＳからの送信と、周波数的に同期させるための手段
をさらに備える請求項２０に記載の装置。
【請求項２３】
前記１つまたは複数の信号の送信が、周期的、非周期的、またはイベントによるトリガのうちの少なくとも１つである、請求項１６に記載の装置。
【請求項２４】
前記イベントが前記第１のＢＳの近傍におけるＵＥの検出を備える、請求項２３に記載の装置。
【請求項２５】
前記１つまたは複数の信号が、送信エネルギーを低減するような方法で送信される、請求項１６に記載の装置。
【請求項２６】
前記１つまたは複数の信号を送信するために、マルチメディアブロードキャストオーバー単一周波数ネットワーク（ＭＢＳＦＮ）サブフレームを利用するための手段
をさらに備える請求項２５に記載の装置。
【請求項２７】
前記第１のＢＳの前記セルＩＤを選択するための前記手段が、
１つまたは複数の隣接するＢＳによって現在使用されている１つまたは複数のセルＩＤを識別し、
前記セルＩＤが前記識別された１つまたは複数のセルＩＤとは異なるように、前記第１のＢＳの前記セルＩＤを選択する
ように構成される、請求項１６に記載の装置。
【請求項２８】
前記１つまたは複数のセルＩＤが、ネットワークリッスンまたはバックホールネットワーク通信のうちの少なくとも１つによって識別される、請求項２７に記載の装置。
【請求項２９】
前記１つまたは複数の信号が、１次同期信号（ＰＳＳ）、２次同期信号（ＳＳＳ）、物理ブロードキャストチャネル（ＰＢＣＨ）、ＣＲＳ、またはシステム情報ブロック（ＳＩＢ）のうちの１つまたは複数を備える、請求項１６に記載の装置。
【請求項３０】
前記第２のＢＳに関する情報を受信または取得するための手段であり、前記情報が、物理セルＩＤ情報、タイミング情報、またはキャリア周波数情報のうちの１つまたは複数を備える、手段
をさらに備える、請求項１６に記載の装置。
【請求項３１】
ワイヤレス通信のための装置であって、
第１の周波数において送信する第１の基地局（ＢＳ）によって、第２の周波数において１つまたは複数の信号を送信する際に使用するためのセル識別情報（ＩＤ）を選択し、前記第２の周波数において前記第１のＢＳから送信される共通基準信号（ＣＲＳ）が前記第２の周波数において第２のＢＳから送信されるＣＲＳと衝突するように、前記セルＩＤが選択され、
前記第１のＢＳによって、前記セルＩＤを使用して、前記第２の周波数において前記１つまたは複数の信号を送信する
ように構成される少なくとも１つのプロセッサと、
前記少なくとも１つのプロセッサに結合されたメモリと
を備える装置。
【請求項３２】
ワイヤレス通信のためのコンピュータ可読記憶媒体であって、前記コンピュータ可読記憶媒体は、１つまたは複数の記憶された命令を有し、前記１つまたは複数の命令は、
第１の周波数において送信する第１の基地局（ＢＳ）によって、第２の周波数において１つまたは複数の信号を送信する際に使用するためのセル識別情報（ＩＤ）を選択することであり、前記第２の周波数において前記第１のＢＳから送信される共通基準信号（ＣＲＳ）が前記第２の周波数において第２のＢＳから送信されるＣＲＳと衝突するように、前記セルＩＤが選択されることと、
前記第１のＢＳによって、前記セルＩＤを使用して、前記第２の周波数において前記１つまたは複数の信号を送信することと
を行うために１つまたは複数のプロセッサによって実行可能である、コンピュータ可読記憶媒体。
【請求項３３】
ワイヤレス通信のための方法であって、
第１の周波数において動作する第１の基地局（ＢＳ）から、セル識別情報（ＩＤ）を含む１つまたは複数の信号を第２の周波数において受信することであり、前記第２の周波数において前記第１のＢＳから送信される共通基準信号（ＣＲＳ）が前記第２の周波数において第２のＢＳから送信されるＣＲＳと衝突するように、前記第１のＢＳによって前記セルＩＤが選択されることと、
前記受信されたセルＩＤに基づいて前記第２のＢＳから前記第１のＢＳへのハンドオーバを実行することと
を備える方法。
【請求項３４】
クリーンな信号を生成するために干渉除去アルゴリズムを使用して前記受信された１つまたは複数の信号における干渉をキャンセルすることと、
前記クリーンな信号から前記第１の基地局およびその対応するセルＩＤを識別することと
をさらに備える請求項３３に記載の方法。
【請求項３５】
前記第２の周波数および前記セルＩＤを使用して、前記第１のＢＳと通信すること
をさらに備える請求項３３に記載の方法。
【請求項３６】
前記第２のＢＳが、測定された基準信号、１次同期信号（ＰＳＳ）、または２次同期信号（ＳＳＳ）のうちの１つまたは複数によって示されるように、前記第２の周波数において動作する、前記第１のＢＳの最も強いネイバーである、請求項３３に記載の方法。
【請求項３７】
前記１つまたは複数の信号が、前記第２のＢＳからの送信と、時間的に同期される、請求項３３に記載の方法。
【請求項３８】
前記１つまたは複数の信号が、前記第２のＢＳからの送信と、周波数的に同期される、請求項３３に記載の方法。
【請求項３９】
前記１つまたは複数の信号が非周期的に受信される、請求項３３に記載の方法。
【請求項４０】
前記１つまたは複数の信号が、マルチメディアブロードキャストオーバー単一周波数ネットワーク（ＭＢＳＦＮ）サブフレームで受信される、請求項３３に記載の方法。
【請求項４１】
前記１つまたは複数の信号が、１次同期信号（ＰＳＳ）、２次同期信号（ＳＳＳ）、物理ブロードキャストチャネル（ＰＢＣＨ）、ＣＲＳ、またはシステム情報ブロック（ＳＩＢ）のうちの１つまたは複数を備える、請求項３３に記載の方法。
【請求項４２】
ワイヤレス通信のための装置であって、
第１の周波数において動作する第１の基地局（ＢＳ）から、セル識別情報（ＩＤ）を含む１つまたは複数の信号を第２の周波数において受信するための手段であり、前記第２の周波数において前記第１のＢＳから送信される共通基準信号（ＣＲＳ）が前記第２の周波数において第２のＢＳから送信されるＣＲＳと衝突するように、前記第１のＢＳによって前記セルＩＤが選択される、手段と、
前記受信されたセルＩＤに基づいて前記第２のＢＳから前記第１のＢＳへのハンドオーバを実行するための手段と
を備える装置。
【請求項４３】
クリーンな信号を生成するために干渉除去アルゴリズムを使用して前記受信された１つまたは複数の信号における干渉をキャンセルするための手段と、
前記クリーンな信号から前記第１の基地局およびその対応するセルＩＤを識別するための手段と
をさらに備える請求項４２に記載の装置。
【請求項４４】
前記第２の周波数および前記セルＩＤを使用して、前記第１のＢＳと通信するための手段
をさらに備える請求項４２に記載の装置。
【請求項４５】
前記第２のＢＳが、測定された基準信号、１次同期信号（ＰＳＳ）、または２次同期信号（ＳＳＳ）のうちの１つまたは複数によって示されるように、前記第２の周波数において動作する、前記第１のＢＳの最も強いネイバーである、請求項４２に記載の装置。
【請求項４６】
前記１つまたは複数の信号が、前記第２のＢＳからの送信と、時間的に同期される、請求項４２に記載の装置。
【請求項４７】
前記１つまたは複数の信号が、前記第２のＢＳからの送信と、周波数的に同期される、請求項４２に記載の装置。
【請求項４８】
前記１つまたは複数の信号が非周期的に受信される、請求項４２に記載の装置。
【請求項４９】
前記１つまたは複数の信号が、マルチメディアブロードキャストオーバー単一周波数ネットワーク（ＭＢＳＦＮ）サブフレームで受信される、請求項４２に記載の装置。
【請求項５０】
前記１つまたは複数の信号が、１次同期信号（ＰＳＳ）、２次同期信号（ＳＳＳ）、物理ブロードキャストチャネル（ＰＢＣＨ）、ＣＲＳ、またはシステム情報ブロック（ＳＩＢ）のうちの１つまたは複数を備える、請求項４２に記載の装置。
【請求項５１】
ワイヤレス通信のための装置であって、
第１の周波数において動作する第１の基地局（ＢＳ）から、セル識別情報（ＩＤ）を含む１つまたは複数の信号を第２の周波数において受信し、前記第２の周波数において前記第１のＢＳから送信される共通基準信号（ＣＲＳ）が前記第２の周波数において第２のＢＳから送信されるＣＲＳと衝突するように、前記第１のＢＳによって前記セルＩＤが選択され、
前記受信されたセルＩＤに基づいて前記第２のＢＳから前記第１のＢＳへのハンドオーバを実行する
ように構成された少なくとも１つのプロセッサと、
前記少なくとも１つのプロセッサに結合されたメモリと
を備える装置。
【請求項５２】
ワイヤレス通信のためのコンピュータ可読記憶媒体であって、前記コンピュータ可読記憶媒体は、１つまたは複数の記憶された命令を有し、前記１つまたは複数の命令は、
第１の周波数において動作する第１の基地局（ＢＳ）から、セル識別情報（ＩＤ）を含む１つまたは複数の信号を第２の周波数において受信することであり、前記第２の周波数において前記第１のＢＳから送信される共通基準信号（ＣＲＳ）が前記第２の周波数において第２のＢＳから送信されるＣＲＳと衝突するように、前記第１のＢＳによって前記セルＩＤが選択されることと、
前記受信されたセルＩＤに基づいて前記第２のＢＳから前記第１のＢＳへのハンドオーバを実行することと
を行うために１つまたは複数のプロセッサによって実行可能である、コンピュータ可読記憶媒体。
【発明の詳細な説明】
【技術分野】
【０００１】
米国特許法第１１９条に基づく優先権の主張
[0001]本特許出願は、本出願の譲受人に譲渡され、参照により本明細書に明確に組み込まれる、２０１１年１１月１４日に出願された「Ｍｅｔｈｏｄｓ  ａｎｄ  Ａｐｐａｒａｔｕｓ  ｆｏｒ  Ｉｍｐｒｏｖｉｎｇ  Ｎｅｔｗｏｒｋ  Ｌｏａｄｉｎｇ」と題する米国仮出願第６１／５５９，５２０号の優先権を主張する。
【０００２】
[0002]本開示は、一般に通信に関し、より詳細には、ワイヤレスネットワークにおけるネットワークローディングを改善する（たとえば、周波数間ハンドオーバを可能にすることによって）ための方法および装置に関する。
【背景技術】
【０００３】
[0003]ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークとすることができ得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）の通信をサポートすることができるいくつかの基地局を含むことができ得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ダウンリンク上で１つまたは複数のＵＥにデータを送信し得、アップリンク上で１つまたは複数のＵＥからデータを受信し得る。ダウンリンク上では、基地局からのデータ送信は、ネイバー（neighbor）基地局からのデータ送信による干渉を観測することがある。アップリンク上では、ＵＥからのデータ送信は、ネイバー基地局と通信している他のＵＥからのデータ送信による干渉を観測することがある。ダウンリンクでもアップリンクでも、干渉基地局および／または干渉ＵＥとによる干渉がパフォーマンスを劣化させることがある。
【発明の概要】
【０００６】
[0006]本開示のいくつかの態様は、ワイヤレス通信のための方法を提供する。本方法は、概して、第１の周波数において送信する第１の基地局（ＢＳ）によって、第２の周波数においてビーコン信号を送信する際に使用するためのセル識別情報（ＩＤ）を選択することであり、第２の周波数において第１のＢＳから送信される共通基準信号（ＣＲＳ）が第２の周波数において第２のＢＳから送信されるＣＲＳと衝突（collide）するように、セルＩＤが選択されることと、第１のＢＳによって、セルＩＤを使用して、第２の周波数において１つまたは複数の信号を送信することとを含む。
【０００７】
[0007]本開示のいくつかの態様は、ワイヤレス通信のための装置を提供する。本装置は、概して、第１の周波数において送信する第１の基地局（ＢＳ）によって、第２の周波数においてビーコン信号を送信する際に使用するためのセル識別情報（ＩＤ）を選択するための手段であり、第２の周波数において第１のＢＳから送信される共通基準信号（ＣＲＳ）が第２の周波数において第２のＢＳから送信されるＣＲＳと衝突するように、セルＩＤが選択される、手段と、第１のＢＳによって、セルＩＤを使用して、第２の周波数において１つまたは複数の信号を送信するための手段とを含む。
【０００８】
[0008]本開示のいくつかの態様は、ワイヤレス通信のための装置を提供する。本装置は、概して、少なくとも１つのプロセッサと、少なくとも１つのプロセッサに結合されたメモリとを含む。第プロセッサは、概して、第１の周波数において送信する第１の基地局（ＢＳ）によって、第２の周波数においてビーコン信号を送信する際に使用するためのセル識別情報（ＩＤ）を選択し、第２の周波数において第１のＢＳから送信される共通基準信号（ＣＲＳ）が第２の周波数において第２のＢＳから送信されるＣＲＳと衝突するように、セルＩＤが選択され、第１のＢＳによって、セルＩＤを使用して、第２の周波数において１つまたは複数の信号を送信するように構成される。
【０００９】
[0009]本開示のいくつかの態様は、ワイヤレス通信のためのコンピュータプログラム製品を提供する。第コンピュータプログラム製品は、概して、コンピュータ可読媒体を含み、コンピュータ可読媒体は、第１の周波数において送信する第１の基地局（ＢＳ）によって、第２の周波数においてビーコン信号を送信する際に使用するためのセル識別情報（ＩＤ）を選択するためのコードであり、第２の周波数において第１のＢＳから送信される共通基準信号（ＣＲＳ）が第２の周波数において第２のＢＳから送信されるＣＲＳと衝突するように、セルＩＤが選択される、コードと、第１のＢＳによって、セルＩＤを使用して、第２の周波数において１つまたは複数の信号を送信するためのコードとを備える。
【００１０】
[0010]本開示のいくつかの態様は、ワイヤレス通信のための方法を提供する。Ｔ本方法は、概して、第１の周波数において動作する第１の基地局（ＢＳ）から、セル識別情報（ＩＤ）を含む１つまたは複数の信号を第２の周波数において受信することであり、第２の周波数において第１のＢＳから送信される共通基準信号（ＣＲＳ）が第２の周波数において第２のＢＳから送信されるＣＲＳと衝突するように、セルＩＤが選択されることと、受信されたセルＩＤに基づいて第２のＢＳから第１のＢＳへのハンドオーバを実行することとを含む。
【００１１】
[0011]本開示のいくつかの態様は、ワイヤレス通信のための装置を提供する。Ｔ本装置は、概して、第１の周波数において動作する第１の基地局（ＢＳ）から、セル識別情報（ＩＤ）を含む１つまたは複数の信号を第２の周波数において受信するための手段であり、第２の周波数において第１のＢＳから送信される共通基準信号（ＣＲＳ）が第２の周波数において第２のＢＳから送信されるＣＲＳと衝突するように、セルＩＤが選択される、手段と、受信されたセルＩＤに基づいて第２のＢＳから第１のＢＳへのハンドオーバを実行するための手段とを含む。
【００１２】
[0012]本開示のいくつかの態様は、ワイヤレス通信のための装置を提供する。本装置は、概して、少なくとも１つのプロセッサと、少なくとも１つのプロセッサに結合されたメモリとを含む。Ｔ少なくとも１つのプロセッサは、概して、第１の周波数において動作する第１の基地局（ＢＳ）から、セル識別情報（ＩＤ）を含む１つまたは複数の信号を第２の周波数において受信し、第２の周波数において第１のＢＳから送信される共通基準信号（ＣＲＳ）が第２の周波数において第２のＢＳから送信されるＣＲＳと衝突するように、セルＩＤが選択され、受信されたセルＩＤに基づいて第２のＢＳから第１のＢＳへのハンドオーバを実行するように構成される。
【００１３】
[0013]本開示のいくつかの態様は、ワイヤレス通信のためのコンピュータプログラム製品を提供する。Ｔコンピュータプログラム製品は、概して、コンピュータ可読媒体を含み、コンピュータ可読媒体は、第１の周波数において動作する第１の基地局（ＢＳ）から、セル識別情報（ＩＤ）を含む１つまたは複数の信号を第２の周波数において受信するためのコードであり、第２の周波数において第１のＢＳから送信される共通基準信号（ＣＲＳ）が第２の周波数において第２のＢＳから送信されるＣＲＳと衝突するように、セルＩＤが選択される、コードと、受信されたセルＩＤに基づいて第２のＢＳから第１のＢＳへのハンドオーバを実行するためのコードとを備える。
【００１４】
[0014]方法、装置、システム、コンピュータプログラム製品、および処理システムを含む多数の他の態様が提供される。
【図面の簡単な説明】
【００１５】
【図１】[0015]本開示のいくつかの態様による、例示的な異種ワイヤレス通信ネットワークを示す図。
【図２】[0016]本開示のいくつかの態様による、アクセスポイントおよびアクセス端末の例示的な構成要素のブロック図。
【図３】[0017]本開示のいくつかの態様による、ワイヤレス通信ネットワークにおけるフレーム構造の一例を概念的に示すブロック図。
【図４】[0018]本開示のいくつかの態様による、第１の周波数で送信する第１の基地局によって実行され得る例示的な動作を示す図。
【図５】[0019]本開示のいくつかの態様による、ネットワークローディングを改善するためにネットワークで交換され得る例示的な信号を示す図。
【図６】[0020]本開示のいくつかの態様による、基地局によって実行され得る例示的なプロシージャを示す図。
【図７】[0021]本開示のいくつかの態様によるＵＥによって実行され得る例示的なプロシージャを示す図。
【図８】[0022]本開示のいくつかの態様による、たとえば、ネットワークローディングを改善するためにユーザ機器によって実行され得る例示的な動作を示す図。
【図９】[0023]本開示のいくつかの態様による基地局およびユーザ機器を備える例示的なネットワークを示す図。
【発明を実施するための形態】
【００１６】
[0024]ここで、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることを認識されよう。
【００１７】
[0025]本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラムおよび／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、および／またはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００１８】
[0026]さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができ得る。さらに、本明細書では基地局に関する様々な態様について説明する。基地局は、（１つまたは複数の）ワイヤレス端末と通信するために利用され得、アクセスポイント、ノードＢ、ｅノードＢ（ｅＮＢ）、または何らかの他の用語で呼ばれることもある。
【００１９】
[0027]さらに、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。つまり、「ＸはＡまたはＢを使用する」という句は、以下の場合、すなわち、ＸがＡを使用する場合、ＸがＢを使用する場合、またはＸがＡとＢの両方を使用する場合のうちのいずれかによって満足される。その上、本出願および添付の特許請求の範囲で使用されるとき、冠詞「ａ」および「ａｎ」とは、別段指定されない限り、または単数形を対象とすべきであると文脈から明らかでない限り、通常、「１つまたは複数」を意味すると解釈されるべきである。
【００２０】
[0028]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用でき得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ＣＤＭＡ２０００などの無線技術を実装し得る。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（「ＧＳＭ（登録商標）」）などの無線技術を実装することができ得る。
【００２１】
[0029]ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施することができ得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ロングタームエボリューション（ＬＴＥ：Long Term Evolution）は、Ｅ−ＵＴＲＡを使用するＵＭＴＳの最近のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ：3rd Generation Partnership Project）と称する団体からの文書に記載されている。ＣＤＭＡ２０００は、「第３世代パートナーシッププロジェクト２」（３ＧＰＰ２：3rd Generation Partnership Project 2）と称する団体からの文書に記載されている。これらの様々な無線技術および規格は当技術分野で知られている。明快のために、本技法のいくつかの態様について以下ではＬＴＥに関して説明し、以下の説明の大部分でＬＴＥ用語を使用する。
【００２２】
[0030]シングルキャリア変調と周波数領域等化とを利用するシングルキャリア周波数分割多元接続（ＳＣ−ＦＤＭＡ）は、ＯＦＤＭＡシステムと同様のパフォーマンスおよび本質的に同じ全体的な複雑さを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に利益を与えるアップリンク通信において、大きい注目を引いている。
【００２３】
[0031]図１に、本開示の様々な態様が実行され得る例示的な異種ワイヤレスネットワーク１００を示す。ワイヤレス通信ネットワーク１００は、ＬＴＥネットワークまたは何らかの他のワイヤレスネットワークであり得る。ワイヤレスネットワーク１００は、いくつかの発展型ノードＢ（ｅＮＢ）１１０と他のネットワークエンティティとを含み得る。ｅＮＢは、ＵＥと通信するエンティティであり得、基地局、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００２４】
[0032]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはホームｅＮＢ（ＨｅＮＢ）またはフェムトｅＮＢと呼ばれることがある。図１に示す例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」、および「セル」という用語は、本明細書では互換的に使用され得る。
【００２５】
[0033]ワイヤレスネットワーク１００はまた、リレーを含み得る。リレーは、上流局（たとえば、ｅＮＢまたはＵＥ）からデータの送信を受信し、そのデータの送信を下流局（たとえば、ＵＥまたはｅＮＢ）に送ることができるエンティティであり得る。リレーはまた、他のＵＥに対する送信を中継することができるＵＥであり得る。図１に示す例では、リレー１１０ｄは、ｅＮＢ１１０ａとＵＥ１２０ｄとの間の通信を可能にするために、バックホール（backhaul）リンクを介してマクロｅＮＢ１１０ａと通信し、アクセスリンクを介してＵＥ１２０ｄと通信し得る。リレーは、リレーｅＮＢ、中継局、リレー基地局などと呼ばれることもある。
【００２６】
[0034]ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの様々なタイプのｅＮＢは、様々な送信電力レベル、様々なカバレージサイズ、およびワイヤレスネットワーク１００における干渉に対する様々な影響を有し得る。たとえば、マクロｅＮＢは、高い送信電力レベル（たとえば、５〜４０ワット）を有し得るが、ピコｅＮＢ、フェムトｅＮＢ、およびリレーは、より低い送信電力レベル（たとえば、０．１〜２ワット）を有し得る。
【００２７】
[0035]ネットワークコントローラ１３０は、ｅＮＢのセットに結合し得、これらのｅＮＢの協調および制御を行い得る。ネットワークコントローラ１３０は、単一のネットワークエンティティまたはネットワークエンティティの集合を備え得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００２８】
[0036]ＵＥ１２０はワイヤレスネットワーク１００中に拡散されていてもよく、各ＵＥは固定であってもモバイルであってもよい。ＵＥは、移動局、端末、アクセス端末、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどであり得る。ＵＥは、マクロｅＮＢ、ピコｅＮＢ、フェムトｅＮＢ、リレーなどと通信することが可能であり得る。ＵＥはまた、別のＵＥとピアツーピア（Ｐ２Ｐ）に通信することが可能であり得る。図１に示す例では、ＵＥ１２０ｅおよび１２０ｆは、ワイヤレスネットワーク１００中のｅＮＢと通信することなしに互いに直接通信し得る。Ｐ２Ｐ通信は、ＵＥ間のローカル通信のためのワイヤレスネットワーク１００上の負荷を低減し得る。ＵＥ間のＰ２Ｐ通信はまた、１つのＵＥが別のＵＥのためにリレーとして働くことを可能にし、それによって他のＵＥがｅＮＢに接続することを可能にし得る。
【００２９】
[0037]図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００３０】
[0038]ＵＥは、複数のｅＮＢのカバレージ内に位置し得る。そのＵＥをサービスするために、これらのｅＮＢのうちの１つが選択され得る。サービングｅＮＢは、受信信号強度、受信信号品質、経路損失、加入者グループ中のメンバーシップなど、様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。
【００３１】
[0039]ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｃは、フェムトｅＮＢ１１０ｃの近くにあり得、ｅＮＢ１１０ｃについて高い受信電力を有し得る。しかしながら、ＵＥ１２０ｃは、制限された関連付けによりフェムトｅＮＢ１１０ｃにアクセスできないことがあり、次いで、より低い受信電力をもつｅＮＢ１１０ａに接続し得る。この場合、ＵＥ１２０ｃは、ダウンリンクでフェムトｅＮＢ１１０ｃからの高い干渉を観測することができ、アップリンクでフェムトｅＮＢ１１０ｃへの高い干渉の原因ともなりうる。
【００３２】
[0040]支配的干渉シナリオはまた、範囲拡張により発生し得、これは、ＵＥが、ＵＥによって検出されたすべてのｅＮＢのうち、より低い経路損失と場合によってはより低いＳＩＮＲとをもつｅＮＢに接続するシナリオである。たとえば、図１では、ＵＥ１２０ｂは、マクロｅＮＢ１１０ａよりもピコｅＮＢ１１０ｂの近くに位置し得、ピコｅＮＢ１１０ｂについてより低い経路損失を有し得る。しかしながら、マクロｅＮＢ１１０ａと比較してピコｅＮＢ１１０ｂの送信電力レベルがより低いことにより、ＵＥ１２０ｂは、ピコｅＮＢ１１０ｂについて、マクロｅＮＢ１１０ａよりも低い受信電力を有し得る。とはいえ、より低い経路損失により、ＵＥ１２０ｂはピコｅＮＢ１１０ｂに接続することが望ましいことがある。これにより、ＵＥ１２０ｂの所与のデータレートに対してワイヤレスネットワークへの干渉が少なくなり得る。
【００３３】
[0041]支配的干渉シナリオにおける通信をサポートするために様々な干渉管理技法が使用され得る。これらの干渉管理技法には、（セル間干渉協調（ＩＣＩＣ：inter-cell interference coordination）と呼ばれることがある）半静的リソース区分、動的リソース割当て、干渉消去などがある。半静的リソース区分は、リソースを異なるセルに割り当てるために（たとえば、バックホールネゴシエーションを介して）実行され得る。リソースは、サブフレーム、サブバンド、キャリア、リソースブロック、送信電力などを備え得る。各セルには、他のセルまたはそれらのＵＥからの干渉をほとんどまたはまったく観測し得ないリソースのセットが割り当てられ得る。また、動的リソース割当ては、ダウンリンクおよび／またはアップリンク上で強い干渉を観測するＵＥの通信をサポートするために、必要に応じてリソースを割り当てるために（たとえば、セルとＵＥとの間のオーバージエアメッセージの交換を介して）実行され得る。また、干渉消去は、干渉セルからの干渉を緩和するためにＵＥによって実行され得る。
【００３４】
[0042]ワイヤレスネットワーク１００は、ダウンリンクおよびアップリンク上でのデータ送信のためにハイブリッド自動再送信（ＨＡＲＱ：hybrid automatic retransmission）をサポートし得る。ＨＡＲＱの場合、送信機（たとえば、ｅＮＢ）は、パケットが受信機（たとえば、ＵＥ）によって正しく復号されるまで、または何らかの他の終了条件に遭遇するまで、パケットの１つまたは複数の送信を送り得る。同期ＨＡＲＱの場合、パケットのすべての送信は、Ｑ番目のサブフレームごとに含み得る、単一のＨＡＲＱインターレースのサブフレーム中で送られ得、ただし、Ｑは、４、６、８、１０、または何らかの他の値に等しくなり得る。非同期ＨＡＲＱの場合、パケットの各送信は、任意のサブフレーム中で送られ、同じパケットの前の送信から最小遅延を受け得る。
【００３５】
[0043]ワイヤレスネットワーク１００は同期または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。
【００３６】
[0044]ワイヤレスネットワーク１００は、周波数分割複信（ＦＤＤ）または時分割複信（ＴＤＤ）を利用し得る。ＦＤＤの場合、ダウンリンクおよびアップリンクには別々の周波数チャネルが割り振られ得、ダウンリンク送信およびアップリンク送信は２つの周波数チャネル上で同時に送られ得る。ＴＤＤの場合、ダウンリンクおよびアップリンクは同じ周波数チャネルを共有し得、ダウンリンク送信およびアップリンク送信は、異なる時間期間において同じ周波数チャネル上で送られ得る。
【００３７】
[0045]図２は、例示的なワイヤレスシステム２００における例示的な基地局２１０とアクセス端末２５０との例示的な構成要素を示すブロック図である。基地局２１０は、図１に示したｅＮＢ１１０のうちの１つなどのアクセスポイントまたはｅＮＢであり得、アクセス端末２５０は、図１に示したＵＥ１２０のうちの１つなどのユーザ機器であり得る。
【００３８】
[0046]基地局２１０において、いくつかのデータストリームのトラフィックデータがデータソース２１２から送信（ＴＸ）データプロセッサ２１４に与えられる。プロセッサ２３０は、ＡＴ２５０に送信されるべき制御情報を生成し得る。
【００３９】
[0047]ＴＸデータプロセッサ２１４は、データストリーム用に選択された特定のコーディング方式に基づいて、そのデータストリームごとにトラフィックデータをフォーマットし、コーディングし、インターリーブして、コード化データを与える。データストリームと制御情報とのコード化データは、ＯＦＤＭ技法を使用してパイロットデータと多重化され得る。
【００４０】
[0048]パイロットデータは、典型的には、知られている方法で処理され、チャネル応答を推定するために受信機システムにおいて使用され得る知られているデータパターンである。次いで、各データストリームの多重化されたパイロットデータおよび符号化データは、変調シンボルを与えるために、そのデータストリーム用に選択された特定の変調方式（たとえば、２位相シフトキーイング（ＢＰＳＫ）、４位相シフトキーイング（ＱＰＳＫ）、Ｍ−ＰＳＫ（Ｍは概して２のべき乗である）、Ｍ−ＱＡＭ（直交振幅変調））に基づいて変調（すなわち、シンボルマッピング）される。各データストリームのデータレート、コーディング、および変調は、メモリ２３２に結合され得るプロセッサ２３０によって実行される命令によって判断され得る。
【００４１】
[0049]次いで、すべてのデータストリームの変調シンボルがＴＸ  ＭＩＭＯプロセッサ２２０に供給され、ＴＸ  ＭＩＭＯプロセッサ２２０はさらに（たとえば、ＯＦＤＭの場合）その変調シンボルを処理し得る。次いで、ＴＸ  ＭＩＭＯプロセッサ２２０は、ＮT個の変調シンボルストリームをＮT個の送信機（ＴＭＴＲ）２２２ａ〜２２２ｔに供給する。いくつかの態様では、ＴＸ  ＭＩＭＯプロセッサ２２０は、データストリームのシンボルと、シンボルがそこから送信されているアンテナとにビームフォーミング重みを適用する。
【００４２】
[0050]送信機２２２は、ダウンリンクコンポーネントキャリアごとにシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。次いで、送信機２２２ａ〜２２２ｔからのＮT個の変調信号は、それぞれＮT個のアンテナ２２４ａ〜２２４ｔから送信される。
【００４３】
[0051]アクセス端末２５０では、ダウンリンクコンポーネントキャリアのための送信された変調信号はＮR個のアンテナ２５２ａ〜２５２ｒによって受信され、各アンテナ２５２から受信された信号は、受信機２５４ａ〜２５４ｒのそれぞれの受信機（ＲＣＶＲ）に供給される。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００４４】
[0052]次いで、ＲＸデータプロセッサ２６０は、ＮR個の受信機２５４からＮR個の受信シンボルストリームを受信し、特定の受信機処理技法に基づいて処理して、ＮT個の「検出」シンボルストリームを与える。ＲＸデータプロセッサ２６０は、次いで、構成されたコンポーネントキャリアごとに各検出シンボルストリームを復調し、デインターリーブし、復号して、たとえば、（本明細書で説明する潜在的干渉セルにおける慎重なリソース割当てによって保護され得る）ＰＤＳＣＨ信号とブロードキャスト信号とを含む、トラフィックデータと制御情報とを復元する。
【００４５】
[0053]ＲＸデータプロセッサ２６０による処理は、基地局２１０においてＴＸ  ＭＩＭＯプロセッサ２２０およびＴＸデータプロセッサ２１４によって実行される処理を補足するものであり得る。メモリ２７２に結合されたプロセッサ２７０は、どのプリコーディング行列を使用すべきかを定期的に判断する。プロセッサ２７０は、行列インデックス部分とランク値部分とを備えるアップリンクメッセージを作成する。
【００４６】
[0054]アップリンク（逆方向リンク）メッセージは、通信リンクおよび／または受信データストリームに関する様々なタイプの情報を備え得る。アップリンクメッセージは、次いで、データソース２３６からいくつかのデータストリームのトラフィックデータをも受信するＴＸデータプロセッサ２３８によって処理され、変調器２８０によって変調され、送信機２５４ａ〜２５４ｒによって調整され得る。
【００４７】
[0055]送信機システム２１０において、アクセス端末２５０からのアップリンク送信は、アンテナ２２４によって受信され、受信機２２２によって調整され、復調器２４０によって復調され、ＲＸデータプロセッサ２４２によって処理されて、アクセス端末２５０によって送信された逆方向リンクメッセージを抽出する。次いで、プロセッサ２３０は、ビームフォーミング重みを判断するためにどのプリコーディング行列を使用すべきかなど、様々なパラメータを判断し、抽出されたメッセージを処理し続けることができる。
【００４８】
[0056]図３は、ＬＴＥのＦＤＤのためのフレーム構造３００の一例を示す。ダウンリンクとアップリンクそれぞれの伝送タイムラインは、無線フレーム単位で区画することができ得る。各無線フレームは、所定の持続時間（たとえば、１０ミリ秒（ｍｓ））を有することができ、０〜９のインデックスをもつ１０個のサブフレームに区分でき得る。各サブフレームは２個のスロットを含むことができ得る。したがって、各無線フレームは、０〜１９のインデックスをもつ２０個のスロットを含むことができ得る。各スロットは、Ｌ個のシンボル期間、たとえば、（図３に示すように）通常の巡回プレフィックスの場合は７つのシンボル期間、または拡張された巡回プレフィックスの場合は６つのシンボル期間を含み得る。各サブフレーム中の２Ｌ個のシンボル期間には０〜２Ｌ−１のインデックスが割り当てられ得る。
【００４９】
[0057]ＬＴＥでは、ｅＮＢは、ｅＮＢによってサポートされるセルごとに（たとえばシステム帯域幅の中心１．０８ＭＨｚにおいて）ダウンリンクで優先同期信号（ＰＳＳ）とセカンダリ同期信号（ＳＳＳ）を送信することができ得る。図３に示すように、ＰＳＳとＳＳＳは、それぞれシンボル周期６と５で、通常の巡回プレフィックスによる各無線フレームのサブフレーム０と５で送信することができ得る。ＰＳＳおよびＳＳＳは、セル探索および収集のためにＵＥによって使用され得る。また、ｅＮＢは、ｅＮＢによってサポートされるセルごとにシステム帯域幅全体でセル特有の基準信号（ＣＲＳ）を送信することができ得る。ＣＲＳは、共通基準信号としても知られている。ＣＲＳは、各サブフレームのいくつかのシンボル周期で送信することができ、ＵＥがチャネル推定、チャネル品質測定、および／または他の機能を実行するために使用することができ得る。ｅＮＢはまた、いくつかの無線フレームのスロット１中のシンボル期間０〜３中で物理ブロードキャストチャネル（ＰＢＣＨ：Physical Broadcast Channel）を送信し得る。ＰＢＣＨは何らかのシステム情報を搬送し得る。ｅＮＢは、いくつかのサブフレームにおいて物理ダウンリンク共有チャネル（ＰＤＳＣＨ：Physical Downlink Shared Channel）上でシステム情報ブロック（ＳＩＢ：system information block）などの他のシステム情報を送信し得る。ｅＮＢは、サブフレームの第１のＢ個のシンボル時間内で、物理ダウンリンク制御チャネル（ＰＤＣＣＨ：Physical Downlink Control Channel）上で制御情報／データを送信することができ、ここでＢは、各サブフレームについて構成可能なものとすることができ得る。ｅＮＢは、各サブフレームの残りのシンボル時間内においてＰＤＳＣＨ上でトラヒックデータおよび／または他のデータを送信することができ得る。
【００５０】
[0058]ワイヤレスネットワークは、ダウンリンクおよびアップリンク上でのデータ送信のためにハイブリッド自動再送要求（ＨＡＲＱ：hybrid automatic retransmission）をサポートし得る。ＨＡＲＱの場合、送信機（たとえば、ｅＮＢ）は、パケットが受信機（たとえば、ＵＥ）によって正しく復号されるまで、または何らかの他の終了条件に遭遇するまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００５１】
ネットワークローディングを改善するための例示的な方法および装置
[0059]本開示のいくつかの態様は、異種ネットワークの負荷のバランスをとるための方法を提案する。基地局は、特別に選択されたセルＩＤを使用して、そのネイバー基地局によって使用されるキャリア周波数において１つまたは複数のビーコン信号を送り得る。ネイバー基地局に接続されたＵＥは、ビーコン信号を受信し、場合によっては、そのサービング基地局の負荷を低減するために、ビーコン信号を送信した基地局にハンドオーバし得る。
【００５２】
[0060]図１に示したような異種ネットワークでは、マクロセルおよびピコ／フェムトセルは、異なるキャリア周波数において送信を行うことができ得る。たとえば、ピコセルがキャリア周波数Ｆ１において送信を行うとき、マクロセルは、キャリア周波数Ｆ２において送信を行い得る。セル（たとえば、マクロセル）のうちの１つに結合された（たとえば、動作可能なように接続された）ＵＥは、それが良好なチャネル状態を有するとき、他の周波数を検索しない場合がある。したがって、ＵＥは、その近傍にある他のセル（たとえば、ピコ／フェムトセル）に気づいていない場合がある。その結果、ＵＥは、マクロセルの周波数とは異なる周波数で送信している隣接するセル（たとえば、ピコ／フェムトセル）にオフロードされない場合がある。
【００５３】
[0061]異種ネットワークにおける異なるノードの負荷のバランスをとり、より効率的にシステムリソースを利用するために、周波数間ハンドオーバおよび／またはトラフィックオフロードを実行するようにＵＥをトリガする必要があり得る。たとえば、マクロセルによってサービスされたＵＥがピコセルのカバレージエリア内を移動するとき、マクロセルの負荷を低減するために、ＵＥがマクロセルからピコセルにハンドオーバすることが望ましい場合がある。ピコセルは異なる周波数において動作し得るので、ＵＥは、ピコセルの存在に気づいていない場合がある。
【００５４】
[0062]本開示のいくつかの態様は、ワイヤレスシステムにおいて周波数間ハンドオーバおよびトラフィックオフロードを可能にするために、基地局（たとえば、ピコ／フェムトセル）によって実行され得る方法を提示する。この方法は、基地局（ＢＳ）によって現在使用されているキャリア周波数以外のキャリア周波数においてビーコン信号を送信することを含み得る。キャリア周波数は、１つまたは複数のＵＥと通信するために、ネイバーＢＳ（たとえば、マクロセル）によって使用され得る。ＢＳは、セル識別情報（ＩＤ）を選択し、選択されたセルＩＤを使用してキャリア周波数において１つまたは複数のビーコン信号を送信することができ得る。ビーコン信号は、ＵＥの近接のＢＳの存在を検出するために使用され得る。ＵＥは、ＢＳからビーコン信号を受信することができ（たとえば、干渉除去アルゴリズムを用いて）、そのサービングＢＳ（たとえば、マクロセル）にその近接のＢＳの存在を通知することができ得る。次いで、ネイバーＢＳ（たとえば、マクロセル）は、ＵＥがＢＳにハンドオーバすべきかどうかを決定し得る。
【００５５】
[0063]隣接するＢＳによって使用されるキャリア周波数において送信されるビーコン信号は、１つまたは複数の１次同期信号（ＰＳＳ）、２次同期信号（ＳＳＳ）、物理ブロードキャストチャネル（ＰＢＣＨ）、共通基準信号（ＣＲＳ）、システム情報ブロック（ＳＩＢ）、またはそれらの任意の組合せを含み得る。
【００５６】
[0064]図４は、本開示のいくつかの態様による、第１のキャリア周波数で送信する第１のＢＳによって実行され得る例示的な動作４００を示す。第１のＢＳは、ピコ基地局、フェムト基地局、または任意の他のタイプの基地局とすることができ得る。動作は、第２のキャリア周波数において１つまたは複数のビーコン信号を送信する際に使用するためのセル識別情報（ＩＤ）を選択することによって、４０２で開始し得る。たとえば、セルＩＤは、第２のキャリア周波数における第１のＢＳから送信される共通基準信号（ＣＲＳ）が第２のキャリア周波数における第２のＢＳ（たとえば、マクロセル）から送信されるＣＲＳと衝突するように選択され得る。第２のＢＳは、第２のキャリア周波数または任意の他の基地局において動作する最も強い隣接するＢＳでもよい。最も強い隣接するＢＳは、隣接するＢＳから受信される測定された基準信号、１次同期信号（ＰＳＳ）、２次同期信号（ＳＳＳ）、および／またはそれらの組合せに基づいて見つけられ（またはそれによって示され）得る。４０４で、基地局は、選択されたセルＩＤを使用して第２のキャリア周波数において１つまたは複数のビーコン信号を送信することができ得る。
【００５７】
[0065]態様では、第１のＢＳは、選択されたセルＩＤを使用して第２のキャリア周波数において１つまたは複数のＣＲＳを含み得るビーコン信号を送信することができ得る。送信されたビーコン信号におけるＣＲＳは、第２のＢＳによって送信されるＣＲＳと衝突し得る。（たとえば、第２のＢＳに関連付けられた）ネットワーク上のＵＥは、ビーコン信号を受信し得る。ＵＥは、第１および第２のＢＳから受信される衝突したＣＲＳを含む受信信号において干渉除去アルゴリズムを実行することによって、その近傍において第１のＢＳの存在を検出することが可能であり得る。ＵＥは、その近接における第１のＢＳの存在を第２のＢＳに通知することができ得る。１つまたは複数のパラメータ（たとえば、ＵＥによる通知を含む）に基づいて、第２のＢＳは、ＵＥを第１のＢＳにオフロードすることを決定し、周波数間ハンドオーバをＵＥに通知し得る。次いで、ＵＥは、第２のＢＳから第１のＢＳにハンドオーバするための第１のＢＳとのハンドオーバプロシージャを実行し得る。この機構を使用して、第２のＢＳにおける負荷を低減するために、異種ネットワークにおいて、１つまたは複数のＵＥが第２のＢＳからの他のＢＳにオフロードされ得る。
【００５８】
[0066]第２の周波数においてビーコン信号を送信することが、通信のために第２の周波数を使用している他のデバイス（たとえば、ＵＥ、ＢＳ）に対する干渉を引き起こす可能性があることに留意されたい。しかしながら、本明細書で説明するように、ビーコン信号が送信される場合、そのような干渉は、干渉除去アルゴリズムを用いてキャンセルされ得る。
【００５９】
[0067]いくつかの態様では、第１のＢＳは、ネットワークのリッスン（listening）を介して隣接するセルに関する情報を取得することができ得る。第１のＢＳは、ネットワークにおいて信号をリッスンし、他のキャリア周波数においてセルサーチを実行することができ得る。代わりに、第１のＢＳは、バックホールネットワーク通信を介して他の隣接するセルからセル情報を取得または受信することができ得る。いくつかの態様では、隣接するセルに関する情報は、隣接するセルの物理的なセルＩＤ、それらのセルのタイミング情報および／またはキャリア周波数情報（たとえば、周波数エラー）、および他の情報を含み得る。
【００６０】
[0068]隣接するセル情報に基づいて、第１のＢＳは、キャリア周波数Ｆ２においてビーコン信号を送信しながら使用すべきセル識別情報（ＩＤ）を選択することができ得る。第１のＢＳは、他の隣接するＢＳによって現在使用されている１つまたは複数のセルＩＤを識別し、識別されたセルＩＤとは異なるセルＩＤを選択することができ得る。いくつかの態様では、第１のＢＳは、隣接するセルにすでに割り当てられているセルＩＤを再利用することを回避し得る。このようにして、ＢＳは、ネットワークにおけるＢＳの一意の識別情報を確保する。
【００６１】
[0069]ＬＴＥ規格では、５０４の一意の物理レイヤセル識別情報がある。物理レイヤセル識別情報は、１６８の一意の物理レイヤセル識別情報グループにグループ分けされ、各グループが３つの一意の識別情報を含む。グループ分けは、各物理レイヤセル識別情報が唯一無二の物理レイヤセル識別情報グループの一部となるように行われる。物理レイヤセル識別情報
【数１】
0005852257.tif 000002
【００６２】
は、したがって、物理レイヤセル識別情報グループを表す０から１６７の範囲の数
【数２】
0005852257.tif 000003
【００６３】
および物理レイヤセル識別情報グループ内の物理レイヤ識別情報を表す０から２の範囲の数
【数３】
0005852257.tif 000004
【００６４】
によって一意に識別される。
【００６５】
[0070]いくつかの態様では、第１のＢＳは、第１のＢＳが周波数Ｆ２で取得することができるセルに関して衝突している共通基準信号（ＣＲＳ）を有するセルＩＤを選択し得る。たとえば、第１のＢＳは、第１のＢＳおよび第２のＢＳのＣＲＳの衝突をもたらし得る、最も強いセル（たとえば、第２のＢＳ）のセルＩＤから３だけ離間したセルＩＤを選択し得る。
【００６６】
[0071]いくつかの態様では、第１のＢＳは、第１のＢＳが周波数Ｆ２において取得することができる最も強いセルと時間的および／または周波数的に同期される１つまたは複数のビーコン信号を送信し得る。いくつかの態様では、第１のＢＳは、送信エネルギーを低減し、および／または最小化するような方法で、１つまたは複数のビーコン信号を送信することができ得る。たとえば、第１のＢＳは、キャリア周波数Ｆ２における１つまたは複数の信号の送信のために、マルチメディアブロードキャストオーバー単一周波数ネットワーク（ＭＢＳＦＮ）サブフレームを利用し得る。ＭＢＳＦＮサブフレームは、複数の受信機に信号（たとえば、データおよび制御）をブロードキャストするために使用され得る。ＭＢＳＦＮ送信モードは、同期された単一周波数ネットワークを介したマルチキャストまたはブロードキャストデータを送るために、ＯＦＤＭ無線インターフェースを利用する。
【００６７】
[0072]いくつかの態様では、第１のＢＳは、周期的または非周期的に、周波数Ｆ２を介してビーコン信号を送信することができ得る。たとえば、第１のＢＳは、ｔ秒ごとに１つまたは複数のビーコン信号を送信し得る、または、第１のＢＳは、時々ビーコン信号を送信し得る。いくつかのシナリオでは、ビーコン信号の送信は、イベントによってトリガされ得る。たとえば、第１のＢＳは、別のＢＳによってサービスされるそれの近傍においてＵＥを検出した場合、ビーコン信号を送信することができ得る。
【００６８】
[0073]いくつかの態様では、第１のＢＳは、本明細書で説明したように、選択されたセルＩＤを使用して第２の周波数において１つまたは複数のビーコン信号を送信し得る。（たとえば、第２のＢＳに関連付けられた）ネットワーク上のＵＥは、（たとえば、干渉除去アルゴリズムを実施することによって）ビーコン信号を正常に受信することができ得る。ビーコン信号の品質が閾値よりも良い場合、ＵＥは、そのサービングＢＳ（たとえば、第２のＢＳ）に第１のＢＳの近接度を通知し、ハンドオーバを要求することができ得る。ＵＥが第１のＢＳにハンドオーバする場合、ＵＥは、第１の周波数を使用する第１のＢＳとの通信を開始し得る。第２の周波数におけるビーコン信号の送信が第２の周波数を使用する他のデバイスに何らかの干渉をもたらし得ることに留意されたい。しかしながら、そのような干渉は、干渉除去技法を使用してキャンセルされ得る。
【００６９】
[0074]図５は、本開示のいくつかの態様による、ネットワークローディングを改善するためにネットワークで交換され得る例示的な信号５００を示す。図５に示したように、５１０で、ユーザ機器ＵＥ１  ５０２は、周波数Ｆ１において第１のＢＳ、ＢＳ１  ５０４と通信することができ得る。５１２で、ＢＳ１  ５０４は、ネットワークにおいて隣接するＢＳによって送信される信号を測定し、基準に基づいて第２のＢＳを選択し得る。たとえば、ＢＳ１  ５０４は、ネイバーＢＳの中で最も強い信号を有するＢＳ２  ５０８を選択し得る。５１４で、ＢＳ１は、本明細書で説明するように、（たとえば、周波数Ｆ２においてＢＳ１から送信される共通基準信号（ＣＲＳ）がＢＳ２から送信されるＣＲＳと衝突するように）ＢＳ２  ５０８のセルＩＤに基づいてセルＩＤを選択することができ得る。５１６で、ＢＳ１  ５０４は、通信するためにＢＳ２  ５０８およびＵＥ２  ５０６によって使用される１つまたは複数の信号（たとえばＣＲＳ）を周波数Ｆ２において送信することができ得る。周波数Ｆ２において送信されたＣＲＳは、ＢＳ２  ５０８によって送信されたＣＲＳと衝突し得る。ＢＳ１  ５０４は、Ｆ２において信号を送信する前に、時間的または周波数的に、ＢＳ２  ５０８と同期し得る。５１８で、ＵＥ２  ５０６は、それの近接におけるＢＳ１  ５０４の存在に気づくことができ得る。ＢＳ１から受信された信号の信号品質が良い場合、５２０で、ＵＥ２  ５０６は、ＢＳ２  ５０８からＢＳ１  ５０４へのハンドオーバを要求し得る。ＢＳ２は、その負荷を低減するために、ハンドオーバを受け入れることができ得る。５２２で、ＵＥ２  ５０６およびＢＳ１  ５０４は、ハンドオーバプロシージャを開始することができ得る。
【００７０】
[0075]図６は、本開示のいくつかの態様による、基地局によって実行され得る例示的なプロシージャ６００を示す。６０２で、ＢＳは、任意の他のＢＳがそれの近傍にあるかどうかを調べ得る。はいの場合、６０４で、ＢＳは、ネイバーＢＳに関する情報を取得し、最も強い信号を有し得るネイバーＢＳを選択し得る。６０６で、ＢＳは、それが選択されたＢＳのセルＩＤと衝突するように、セルＩＤを選択し得る。６０８で、ＢＳは、選択されたセルＩＤを使用して１つまたは複数の信号を送信し得る。送信された信号は、選択されたＢＳからの送信と時間的または周波数的に同期され得る。６１０で、ＢＳは、ＵＥからハンドオーバ要求を受信し得る。６１２で、ＢＳは、ＵＥとのハンドオーバプロシージャを実行し得る。
【００７１】
[0076]図７は、本開示のいくつかの態様によるＵＥによって実行され得る例示的なプロシージャ７００を示す。７０２で、ＵＥは、周波数Ｆ２を介してサービングＢＳと通信し得る。７０４で、ＵＥは、周波数Ｆ２において信号を受信し得る。７０６で、ＵＥは、受信信号において干渉除去を実行し得る。いくつかの態様では、７０８で、ＵＥは、受信信号に干渉する任意の強い信号があるかどうかを確認し得る。たとえば、ＵＥは、ＣＲＳにおいて任意の強い干渉があるかどうかを調べることができ得る。いくつかの態様では、はいの場合、７１０で、ＵＥは、強い干渉を送信しているＢＳを識別することができ得る。７１２で、ＵＥは、サービングＢＳから受信信号を送信すると識別されたＢＳへのハンドオーバを要求し得る。７１４で、ハンドオーバ要求が受け入れられた場合、ＵＥは、識別されたＢＳとのハンドオーバプロシージャを実行し得る。
【００７２】
[0077]図８は、本開示のいくつかの態様による、たとえば、ネットワークローディングを改善するためにユーザ機器によって実行され得る例示的な動作を示す。８０２で、ＵＥは、第１の周波数において動作する第１のＢＳから、セルＩＤを含む１つまたは複数の信号を第２の周波数において受信し、第２の周波数において第１のＢＳから送信される共通基準信号（ＣＲＳ）が第２の周波数において第２のＢＳから送信されるＣＲＳと衝突するように、セルＩＤが選択される。いくつかの態様では、ＵＥは、クリーンな信号を生成するために干渉除去アルゴリズムを使用して受信信号における干渉をキャンセルし得る。次いで、ＵＥは、クリーンな信号から第１の基地局およびその対応するセルＩＤを識別し得る。８０４で、ＵＥは、受信されたセルＩＤに基づいて第２のＢＳから第１のＢＳにハンドオーバし得る。
【００７３】
[0078]図９は、本開示のいくつかの態様による、基地局およびユーザ機器を備える例示的なネットワーク９００を示す。基地局９１０は、受信機ユニット９１８を使用して、それの近傍（図示せず）におけるＵＥ９２０および／または他の基地局から信号を受信し得る。基地局は、処理モジュール９１６を使用して受信信号を処理し得る。基地局は、セルＩＤ選択モジュール９１４を使用して、本明細書で説明したように、セルＩＤを選択し、選択されたセルＩＤを使用して、１つまたは複数のビーコン信号を生成し得る。次いで、基地局は、送信機モジュール９１２を使用してビーコン信号を送信し得る。ＵＥ９２０は、受信機モジュール９２２を使用してビーコン信号を受信し得る。次いで、ＵＥは、処理モジュール９２４を使用して受信されたビーコン信号を処理し、基地局がそれの近傍にあると決定することができ得る。次いで、ＵＥは、そのサービング基地局（図示せず）から基地局９１０にハンドオーバするよう要求し、ハンドオーバ要求が受け入れられた場合、送信機モジュール９２６を使用して、ＢＳ９１０に信号を送信し得る。
【００７４】
[0079]要約すれば、本明細書で説明する技法は、ＵＥがそれの近接の他の基地局に気づくことを可能にし、それらの隣接するＢＳにハンドオーバすることによって、異種ネットワークの負荷のバランスをとることを容易にする。
【００７５】
[0080]上記で説明した図４および図８の方法に示したブロックに対応する様々な動作は、様々な（１つまたは複数の）ハードウェアおよび／またはソフトウェア構成要素および／または（１つまたは複数の）モジュールによって実行され得る。たとえば、第２のＢＳに関する情報を受信または取得するための手段は、受信機または任意の好適な受信構成要素（たとえば、図２に示したような受信機２２２）であり得る。ユーザ機器のハンドオーバを引き起こすための手段、１つまたは複数の信号の送信を同期させるための手段、ＭＢＳＦＮサブフレームを利用するための手段、および１つまたは複数のセルＩＤを識別するための手段は、たとえば図２に示したように、プロセッサ２３０などの任意の好適な処理構成要素であり得る。セルＩＤを選択するための手段は、たとえば図９に示すように、セルＩＤ選択モジュール９１４などの任意の好適な処理構成要素であり得る。１つまたは複数の信号を送信するための手段および／または通信するための手段は、図２に示したように、送信機２２２などの任意の好適な送信構成要素であり得る。
【００７６】
[0081]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行でき得る。汎用プロセッサはマイクロプロセッサとすることができ得るが、代替として、プロセッサは、任意の市販のプロセッサ、コントローラ、マイクロコントローラ、または状態機械とすることができ得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもでき得る。
【００７７】
[0082]本開示に関連して説明した方法またはアルゴリズムのステップは、直接ハードウェアか、プロセッサによって実行されるソフトウェアモジュールか、またはその２つの組合せで実施でき得る。ソフトウェアモジュールは、当技術分野で知られている任意の形式の記憶媒体中に常駐することができ得る。使用でき得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散でき得る。記憶媒体は、プロセッサがその記憶媒体から情報を読み取ることができ、その記憶媒体に情報を書き込むことができるように、プロセッサに結合でき得る。代替として、記憶媒体はプロセッサに一体化することができ得る。
【００７８】
[0083]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００７９】
[0084]説明した機能は、ハードウェア、ソフトウェア、ファームウェア、またはそれらの組合せで実装でき得る。ソフトウェアで実装した場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。
【００８０】
[0085]たとえば、そのようなデバイスは、本明細書で説明した方法を実行するための手段の転送を可能にするために、サーバに結合され得る。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供できる。その上、本明細書で説明した方法および技法をデバイスに提供するための任意の他の好適な技法が利用され得る。
【００８１】
[0086]特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができ得る。
【００８２】
[0087]上記は本開示の態様を対象とするが、本開示の他の態様およびさらなる態様は、それらの基本的範囲から逸脱することなく考案され得、それらの範囲は以下の特許請求の範囲によって判断される。
以下に、本願出願の当初の特許請求の範囲に記載された発明を付記する。
［Ｃ１］
ワイヤレス通信のための方法であって、
第１の周波数において送信する第１の基地局（ＢＳ）によって、第２の周波数においてビーコン信号を送信する際に使用するためのセル識別情報（ＩＤ）を選択することであり、前記第２の周波数において前記第１のＢＳから送信される共通基準信号（ＣＲＳ）が前記第２の周波数において第２のＢＳから送信されるＣＲＳと衝突するように、前記セルＩＤが選択されることと、
前記第１のＢＳによって、前記セルＩＤを使用して、前記第２の周波数において１つまたは複数の信号を送信することと
を備える方法。
［Ｃ２］
前記第１のＢＳによって、前記選択されたセルＩＤを使用して、前記第２の周波数において前記ビーコン信号を送信することと、
前記ビーコン信号に基づいて、前記第２のＢＳに関連付けられたユーザ機器（ＵＥ）の前記第１のＢＳへのハンドオーバを引き起こすことと
をさらに備えるＣ１に記載の方法。
［Ｃ３］
前記第２の周波数および前記セルＩＤを使用して、前記第１のＢＳによって前記ＵＥと通信すること
をさらに備えるＣ２に記載の方法。
［Ｃ４］
前記第２の周波数および前記セルＩＤを使用して、前記第１のＢＳによって前記ＵＥと通信することが、干渉除去アルゴリズムを使用してキャンセルされ得る、前記第２の周波数を使用する別のＵＥに対する干渉を引き起こすことを含む、Ｃ３に記載の方法。
［Ｃ５］
前記第２のＢＳが、測定された基準信号、１次同期信号（ＰＳＳ）、または２次同期信号（ＳＳＳ）のうちの１つまたは複数によって示されるように、前記第２の周波数において動作する最も強い隣接するＢＳである、Ｃ１に記載の方法。
［Ｃ６］
前記１つまたは複数の信号の送信を、前記第２のＢＳからの送信と、時間的に同期させること
をさらに備えるＣ５に記載の方法。
［Ｃ７］
前記１つまたは複数の信号の送信を、前記第２のＢＳからの送信と、周波数的に同期させること
をさらに備えるＣ５に記載の方法。
［Ｃ８］
前記１つまたは複数の信号の送信が、周期的、非周期的、またはイベントによるトリガのうちの少なくとも１つである、Ｃ１に記載の方法。
［Ｃ９］
前記イベントが前記第１のＢＳの近傍におけるＵＥの検出を備える、Ｃ８に記載の方法。
［Ｃ１０］
前記１つまたは複数の信号が、送信エネルギーを低減するような方法で送信される、Ｃ１に記載の方法。
［Ｃ１１］
前記１つまたは複数の信号を送信するために、マルチメディアブロードキャストオーバー単一周波数ネットワーク（ＭＢＳＦＮ）サブフレームを利用すること
をさらに備えるＣ１０に記載の方法。
［Ｃ１２］
前記第１のＢＳの前記セルＩＤを選択することが、
１つまたは複数の隣接するＢＳによって現在使用されている１つまたは複数のセルＩＤを識別することと、
前記セルＩＤが前記１つまたは複数の識別されたセルＩＤとは異なるように、前記第１のＢＳの前記セルＩＤを選択することと
を備える、Ｃ１に記載の方法。
［Ｃ１３］
前記１つまたは複数のセルＩＤが、ネットワークリッスンまたはバックホールネットワーク通信のうちの少なくとも１つによって識別される、Ｃ１２に記載の方法。
［Ｃ１４］
前記１つまたは複数の信号が、１次同期信号（ＰＳＳ）、２次同期信号（ＳＳＳ）、物理ブロードキャストチャネル（ＰＢＣＨ）、ＣＲＳ、またはシステム情報ブロック（ＳＩＢ）のうちの１つまたは複数を備える、Ｃ１に記載の方法。
［Ｃ１５］
前記第２のＢＳに関する情報を受信または取得することであり、前記情報が、物理セルＩＤ情報、タイミング情報、またはキャリア周波数情報のうちの１つまたは複数を備えること
をさらに備える、Ｃ１に記載の方法。
［Ｃ１６］
ワイヤレス通信のための装置であって、
第１の周波数において送信する第１の基地局（ＢＳ）によって、第２の周波数においてビーコン信号を送信する際に使用するためのセル識別情報（ＩＤ）を選択するための手段であり、前記第２の周波数において前記第１のＢＳから送信される共通基準信号（ＣＲＳ）が前記第２の周波数において第２のＢＳから送信されるＣＲＳと衝突するように、前記セルＩＤが選択される、手段と、
前記第１のＢＳによって、前記セルＩＤを使用して、前記第２の周波数において１つまたは複数の信号を送信するための手段と
を備える装置。
［Ｃ１７］
前記第１のＢＳによって、前記選択されたセルＩＤを使用して、前記第２の周波数において前記ビーコン信号を送信するための手段と、
前記ビーコン信号に基づいて、前記第２のＢＳに関連付けられたユーザ機器（ＵＥ）の前記第１のＢＳへのハンドオーバを引き起こすための手段と
をさらに備えるＣ１６に記載の装置。
［Ｃ１８］
前記第２の周波数および前記セルＩＤを使用して、前記第１のＢＳによって前記ＵＥと通信するための手段
をさらに備えるＣ１７に記載の装置。
［Ｃ１９］
前記第２の周波数および前記セルＩＤを使用して、前記第１のＢＳによって前記ＵＥと通信するための前記手段が、干渉除去アルゴリズムを使用してキャンセルされ得る、前記第２の周波数を使用する別のＵＥに対する干渉を引き起こすように構成される、Ｃ１８に記載の装置。
［Ｃ２０］
前記第２のＢＳが、測定された基準信号、１次同期信号（ＰＳＳ）、または２次同期信号（ＳＳＳ）のうちの１つまたは複数によって示されるように、前記第２の周波数において動作する最も強い隣接するＢＳである、Ｃ１６に記載の装置。
［Ｃ２１］
前記１つまたは複数の信号の送信を、前記第２のＢＳからの送信と、時間的に同期させるための手段
をさらに備えるＣ２０に記載の装置。
［Ｃ２２］
前記１つまたは複数の信号の送信を、前記第２のＢＳからの送信と、周波数的に同期させるための手段
をさらに備えるＣ２０に記載の装置。
［Ｃ２３］
前記１つまたは複数の信号の送信が、周期的、非周期的、またはイベントによるトリガのうちの少なくとも１つである、Ｃ１６に記載の装置。
［Ｃ２４］
前記イベントが前記第１のＢＳの近傍におけるＵＥの検出を備える、Ｃ２３に記載の装置。
［Ｃ２５］
前記１つまたは複数の信号が、送信エネルギーを低減するような方法で送信される、Ｃ１６に記載の装置。
［Ｃ２６］
前記１つまたは複数の信号を送信するために、マルチメディアブロードキャストオーバー単一周波数ネットワーク（ＭＢＳＦＮ）サブフレームを利用するための手段
をさらに備えるＣ２５に記載の装置。
［Ｃ２７］
前記第１のＢＳの前記セルＩＤを選択するための前記手段が、
１つまたは複数の隣接するＢＳによって現在使用されている１つまたは複数のセルＩＤを識別し、
前記セルＩＤが前記識別された１つまたは複数のセルＩＤとは異なるように、前記第１のＢＳの前記セルＩＤを選択する
ように構成される、Ｃ１６に記載の装置。
［Ｃ２８］
前記１つまたは複数のセルＩＤが、ネットワークリッスンまたはバックホールネットワーク通信のうちの少なくとも１つによって識別される、Ｃ２７に記載の装置。
［Ｃ２９］
前記１つまたは複数の信号が、１次同期信号（ＰＳＳ）、２次同期信号（ＳＳＳ）、物理ブロードキャストチャネル（ＰＢＣＨ）、ＣＲＳ、またはシステム情報ブロック（ＳＩＢ）のうちの１つまたは複数を備える、Ｃ１６に記載の装置。
［Ｃ３０］
前記第２のＢＳに関する情報を受信または取得するための手段であり、前記情報が、物理セルＩＤ情報、タイミング情報、またはキャリア周波数情報のうちの１つまたは複数を備える、手段
をさらに備える、Ｃ１６に記載の装置。
［Ｃ３１］
ワイヤレス通信のための装置であって、
第１の周波数において送信する第１の基地局（ＢＳ）によって、第２の周波数においてビーコン信号を送信する際に使用するためのセル識別情報（ＩＤ）を選択し、前記第２の周波数において前記第１のＢＳから送信される共通基準信号（ＣＲＳ）が前記第２の周波数において第２のＢＳから送信されるＣＲＳと衝突するように、前記セルＩＤが選択され、
前記第１のＢＳによって、前記セルＩＤを使用して、前記第２の周波数において１つまたは複数の信号を送信する
ように構成される少なくとも１つのプロセッサと、
前記少なくとも１つのプロセッサに結合されたメモリと
を備える装置。
［Ｃ３２］
ワイヤレス通信のためのコンピュータプログラム製品であって、
第１の周波数において送信する第１の基地局（ＢＳ）によって、第２の周波数においてビーコン信号を送信する際に使用するためのセル識別情報（ＩＤ）を選択するためのコードであり、前記第２の周波数において前記第１のＢＳから送信される共通基準信号（ＣＲＳ）が前記第２の周波数において第２のＢＳから送信されるＣＲＳと衝突するように、前記セルＩＤが選択される、コードと、
前記第１のＢＳによって、前記セルＩＤを使用して、前記第２の周波数において１つまたは複数の信号を送信するためのコードと
を備えるコンピュータ可読媒体
を備えるコンピュータプログラム製品。
［Ｃ３３］
ワイヤレス通信のための方法であって、
第１の周波数において動作する第１の基地局（ＢＳ）から、セル識別情報（ＩＤ）を含む１つまたは複数の信号を第２の周波数において受信することであり、前記第２の周波数において前記第１のＢＳから送信される共通基準信号（ＣＲＳ）が前記第２の周波数において第２のＢＳから送信されるＣＲＳと衝突するように、前記第１のＢＳによって前記セルＩＤが選択されることと、
前記受信されたセルＩＤに基づいて前記第２のＢＳから前記第１のＢＳへのハンドオーバを実行することと
を備える方法。
［Ｃ３４］
クリーンな信号を生成するために干渉除去アルゴリズムを使用して前記受信された１つまたは複数の信号における干渉をキャンセルすることと、
前記クリーンな信号から前記第１の基地局およびその対応するセルＩＤを識別することと
をさらに備えるＣ３３に記載の方法。
［Ｃ３５］
前記第２の周波数および前記セルＩＤを使用して、前記第１のＢＳと通信すること
をさらに備えるＣ３３に記載の方法。
［Ｃ３６］
前記第２のＢＳが、測定された基準信号、１次同期信号（ＰＳＳ）、または２次同期信号（ＳＳＳ）のうちの１つまたは複数によって示されるように、前記第２の周波数において動作する、前記第１のＢＳの最も強いネイバーである、Ｃ３３に記載の方法。
［Ｃ３７］
前記１つまたは複数の信号が、前記第２のＢＳからの送信と、時間的に同期される、Ｃ３３に記載の方法。
［Ｃ３８］
前記１つまたは複数の信号が、前記第２のＢＳからの送信と、周波数的に同期される、Ｃ３３に記載の方法。
［Ｃ３９］
前記１つまたは複数の信号が非周期的に受信される、Ｃ３３に記載の方法。
［Ｃ４０］
前記１つまたは複数の信号が、マルチメディアブロードキャストオーバー単一周波数ネットワーク（ＭＢＳＦＮ）サブフレームで受信される、Ｃ３３に記載の方法。
［Ｃ４１］
前記１つまたは複数の信号が、１次同期信号（ＰＳＳ）、２次同期信号（ＳＳＳ）、物理ブロードキャストチャネル（ＰＢＣＨ）、ＣＲＳ、またはシステム情報ブロック（ＳＩＢ）のうちの１つまたは複数を備える、Ｃ３３に記載の方法。
［Ｃ４２］
ワイヤレス通信のための装置であって、
第１の周波数において動作する第１の基地局（ＢＳ）から、セル識別情報（ＩＤ）を含む１つまたは複数の信号を第２の周波数において受信するための手段であり、前記第２の周波数において前記第１のＢＳから送信される共通基準信号（ＣＲＳ）が前記第２の周波数において第２のＢＳから送信されるＣＲＳと衝突するように、前記第１のＢＳによって前記セルＩＤが選択される、手段と、
前記受信されたセルＩＤに基づいて前記第２のＢＳから前記第１のＢＳへのハンドオーバを実行するための手段と
を備える装置。
［Ｃ４３］
クリーンな信号を生成するために干渉除去アルゴリズムを使用して前記受信された１つまたは複数の信号における干渉をキャンセルするための手段と、
前記クリーンな信号から前記第１の基地局およびその対応するセルＩＤを識別するための手段と
をさらに備えるＣ４２に記載の装置。
［Ｃ４４］
前記第２の周波数および前記セルＩＤを使用して、前記第１のＢＳと通信するための手段
をさらに備えるＣ４２に記載の装置。
［Ｃ４５］
前記第２のＢＳが、測定された基準信号、１次同期信号（ＰＳＳ）、または２次同期信号（ＳＳＳ）のうちの１つまたは複数によって示されるように、前記第２の周波数において動作する、前記第１のＢＳの最も強いネイバーである、Ｃ４２に記載の装置。
［Ｃ４６］
前記１つまたは複数の信号が、前記第２のＢＳからの送信と、時間的に同期される、Ｃ４２に記載の装置。
［Ｃ４７］
前記１つまたは複数の信号が、前記第２のＢＳからの送信と、周波数的に同期される、Ｃ４２に記載の装置。
［Ｃ４８］
前記１つまたは複数の信号が非周期的に受信される、Ｃ４２に記載の装置。
［Ｃ４９］
前記１つまたは複数の信号が、マルチメディアブロードキャストオーバー単一周波数ネットワーク（ＭＢＳＦＮ）サブフレームで受信される、Ｃ４２に記載の装置。
［Ｃ５０］
前記１つまたは複数の信号が、１次同期信号（ＰＳＳ）、２次同期信号（ＳＳＳ）、物理ブロードキャストチャネル（ＰＢＣＨ）、ＣＲＳ、またはシステム情報ブロック（ＳＩＢ）のうちの１つまたは複数を備える、Ｃ４２に記載の装置。
［Ｃ５１］
ワイヤレス通信のための装置であって、
第１の周波数において動作する第１の基地局（ＢＳ）から、セル識別情報（ＩＤ）を含む１つまたは複数の信号を第２の周波数において受信し、前記第２の周波数において前記第１のＢＳから送信される共通基準信号（ＣＲＳ）が前記第２の周波数において第２のＢＳから送信されるＣＲＳと衝突するように、前記第１のＢＳによって前記セルＩＤが選択され、
前記受信されたセルＩＤに基づいて前記第２のＢＳから前記第１のＢＳへのハンドオーバを実行する
ように構成された少なくとも１つのプロセッサと、
前記少なくとも１つのプロセッサに結合されたメモリと
を備える装置。
［Ｃ５２］
ワイヤレス通信のためのコンピュータプログラム製品であって、
第１の周波数において動作する第１の基地局（ＢＳ）から、セル識別情報（ＩＤ）を含む１つまたは複数の信号を第２の周波数において受信するためのコードであり、前記第２の周波数において前記第１のＢＳから送信される共通基準信号（ＣＲＳ）が前記第２の周波数において第２のＢＳから送信されるＣＲＳと衝突するように、前記第１のＢＳによって前記セルＩＤが選択される、コードと、
前記受信されたセルＩＤに基づいて前記第２のＢＳから前記第１のＢＳへのハンドオーバを実行するためのコードと
を備えるコンピュータ可読媒体
を備えるコンピュータプログラム製品。
【図１】
0005852257.tif 000005
【図２】
0005852257.tif 000006
【図３】
0005852257.tif 000007
【図４】
0005852257.tif 000008
【図５】
0005852257.tif 000009
【図６】
0005852257.tif 000010
【図７】
0005852257.tif 000011
【図８】
0005852257.tif 000012
【図９】
0005852257.tif 000013